(57)【特許請求の範囲】
【請求項１】
建築現場等に設置される足場の控を支持し得る治具に於て、建物基礎の凹状に形成された開口部に跨って載置されかつ該建物基礎に固定し得るコ字形ベースプレートと、該コ字形ベースプレートの背面に一体的に起立突設され床板目地部に位置する部分が扁平板によって形成された控接続具とで構成したことを特徴とした足場用控え受け治具。
【請求項２】
前記コ字形ベースプレートの内側に配置された挟持板がボルトの回動によって移動して前記建物基礎の側面を挟持するように構成したことを特徴とした請求項１の足場用控え受け治具。
【発明の詳細な説明】
【０００１】
【発明の属する技術分野】
本発明は建築現場等に仮設される足場の控を支持する控え受け治具に係り、特に建物基礎の一部を利用することによって建物基礎に簡単かつ強固に取付固定し得る足場用控え受け治具に関するものである。
【０００２】
【従来の技術】
従来の建築現場、工事現場等に仮設される足場は一般的に図７（ａ）、（ｂ）に示す如く、足場５１の控５２の下部を地盤５３に固定するに当っては、図に示すような打込み杭５４を使用し、この打込み杭５４を地盤５３に打込むと共に、この打込み杭５４を控５２の下部に結合させ、該打込み杭５４をアンカーとして利用することによって、控５２を地盤５３に安定した状態で固定していた。また、この控５２は建築物の外側に設けていた。
【０００３】
【発明が解決しようとする課題】
然るに、前述の建築現場等に仮設される足場５１に於ては、足場５１の控５２を地盤５３に固定するために、打込み杭５４を地盤５３に打込まなければならないので、現場での作業が極めて煩雑であり、かつ基礎内部へ控を設置しようとする場合には、基礎内部の地盤面に敷設されている防湿シート（図示せず）を打込み杭５４によって破損させてしまい、基礎内部の地盤面の防水性を阻害してしまう等の問題があった。
【０００４】
また、前述の従来の足場５１に於ては、控５２の単管が１階の床部分を斜めに横切って配置されるために、建て方作業中には、その控５２が配置された部分の床面は、足場５１を完全に撤去するまでは床板の敷設工事が出来ない問題があった。
【０００５】
従って、建て方作業中には、控５２の配置された場所の床は開口部として放置せざるを得ず、そのためにこの場所は転落災害が発生する危険性が残る等の問題があった。
【０００６】
本発明に係る足場用控え受け治具は、前述の従来の多くの問題点に鑑み開発された全く新しい技術であって、特に既に設置されている建物基礎の一部、特に開口部を利用することによって建物基礎に簡単にまた強固に取付固定することが出来、しかも必要に応じては控が起立されている床面にも床板の敷設工事を施すことが容易に出来る全く新しい発明を提供するものである。
【０００７】
【課題を解決するための手段】
本発明に係る足場用控え受け治具は、前述の従来の問題点を根本的に改善した発明であって、その第１発明の要旨は、建築現場等に設置される足場の控を支持し得る治具に於て、建物基礎の凹状に形成された開口部に跨って載置されかつ該建物基礎に固定し得るコ字形ベースプレートと、該コ字形ベースプレートの背面に一体的に起立突設され床板目地部に位置する部分が扁平板によって形成された控接続具とで構成したことを特徴とした足場用控え受け治具である。
【０００８】
第１発明に於ては、前述のように建物基礎の一部に跨って載置し得るコ字形ベースプレートを形成したので、このコ字形ベースプレートを建物基礎に跨って挟持させることによって、控え受け治具を建物基礎に簡単かつ確実に固定することが出来る。
【０００９】
また、前記コ字形ベースプレートの背面には控接続具が一体的に起立突設されているので、前述のようにコ字形ベースプレートを建物基礎に取付固定することによって、該控接続具を建設現場の床面より自動的に起立突設せしめることが出来る。また、該控接続具を支柱、特に管状に形成した場合には、方向が自在となり、複数の控を受けることが出来る。
【００１０】
また、コ字形ベースプレートの背面に起立突設した控接続具の床板目地部に位置する部分を扁平板によって形成したので、この控接続具の扁平板の周りには、そのままの状態で床板を敷設することが出来る。
【００１１】
従って、本発明の足場用控え受け治具を利用した場合には、建て方作業中にも支柱が配置された場所の床を開口部として放置する必要がなく、そのためにこの場所で転落災害が発生することを防止出来る。
【００１２】
本発明に係る足場用控え受け治具の第２発明の要旨は、前記コ字形ベースプレートの内側に配置された挟持板がボルトの回動によって移動して前記建物基礎の側面を挟持するように構成したことを特徴とした第１発明の足場用控え受け治具である。
【００１３】
第２発明に於ては、コ字形ベースプレートの内側に配置された挟持板がボルトの回動によって移動するように構成されているので、ボルトを回動することによって建物基礎の側面を挟持板で締め付けて、建物基礎にコ字形ベースプレートを強固に取付固定することが出来る。
【００１４】
前述のように、コ字形ベースプレートを建物基礎に固定するに当って、このコ字形ベースプレートの内側に設けた挟持板を建物基礎の側面に幅広く面接触させるようにした場合には、建物基礎の外側面を損傷することがなく、しかもコ字形ベースプレートを建物基礎に安定した状態で強固に固定することが出来る。
【００１５】
前述のコ字形ベースプレートの内側に配置された挟持板を移動し得るボルトをコ字形ベースプレートの側壁にネジ孔を穿設するか或はナットを溶着し、これ等のネジ孔或はナットに挿通して取付けるように構成した場合には、該ボルトを回動することによってその先端部でコ字形ベースプレートの内側に設けられた挟持板を移動せしめ、挟持板で建物基礎を挟持してコ字形ベースプレートを簡単かつ確実に建物基礎に取付固定することが出来る。
【００１６】
【発明の実施の形態】
図により本発明に係る足場用控え受け治具の一実施例を具体的に説明すると、図１は本発明に係る第１実施例の足場用控え受け治具の使用状態を示す斜視説明図、図２（ａ）、（ｂ）は夫々図１の足場用控え受け治具の構成を示す縦断面図、図３は図１の足場用控え受け治具の要部の構成を示す斜視説明図、図４は図１の足場用控え受け治具を使用して足場を構築する状態の要部の斜視説明図である。
【００１７】
図５（ａ）、（ｂ）は夫々本発明に係る第２実施例の足場用控え受け治具の要部を示す説明図、図６（ａ）、（ｂ）、（ｃ）は夫々図５の足場用控え受け治具の側面図、底面図及び正面図である。
【００１８】
図１乃至図４に於て本発明の第１実施例を説明する。１は本発明に係る足場用控え受け治具であって、断面が下向のコ字形ベースプレート２が基板となっている。このコ字形ベースプレート２は、特に図３によって明らかな如く、背板２ａの両側下部に側板２ｂ、２ｃを設けることによって形成されている。
【００１９】
前記コ字形ベースプレート２の各側板２ｂ、２ｃの内側には夫々挟持板３が所定の間隔を保って平行に配置され、これ等の挟持板３は夫々板厚が小さく簡単に変形し得る連結片４を介して各側板２ｂ、２ｃの下縁に一体的に連結されている。
【００２０】
前記コ字形ベースプレート２の背板２ａのほぼ中央には控接続具５が一体的に起立突設されている。この控接続具５の下部は、図に示す如く、扁平板５ａで形成されており、かつこの扁平板５ａにはこれと直交する方向に高さの小さい補強ブラケット６が一体的に固着されている。建物基礎９の開口部１０にコ字形ベースプレート２を跨がせた場合には、この補強ブラケット６の高さが開口部１０の高さより低くなるので、建て方前にこの補強ブラケット６の上方に床板１１を全面的に敷きつめることが出来る。
【００２１】
前記コ字形ベースプレート２の側板２ｂ、２ｃの中央部の貫通孔内には、特に図３に示す如く、ナット７が溶着されており、かつこのナット７にはボルト８が挿通し得る如く螺合されている。従って、ボルト８をナット７に螺合して、ボルト８の先端部をコ字形ベースプレート２の中心部に移動させた場合には、ボルト８の先端部で挟持板３を押してコ字形ベースプレート２の中心部に徐々に移動させることが出来るように構成されている。
【００２２】
前述のような構成を有する本発明の足場用控え受け治具１の使用に当っては、先ず図１に示す如く、建物基礎９の開口部１０上にコ字形ベースプレート２を跨がせ、この状態でコ字形ベースプレート２の両側の側板２ｂ、２ｃに取付けられたナット７にボルト８を挿通し、ボルト８の先端部で両側の挟持板３を移動させながら、開口部１０の建物基礎９の両側面を締付けることによって、足場用控え受け治具１を建物基礎９に安定した状態で取付ける。
【００２３】
次に、図２（ａ）、（ｂ）及び図４に示す如く、足場用控え受け治具１の控接続具５の周りの１階の床梁には床板１１を順に敷設し、控接続具５の下部の扁平板５ａは並列された床板１１で形成される目地部１２に配置することが出来る。
【００２４】
この際扁平板５ａに固着された補強ブラケット６は、特に図２（ｂ）に示す如く、床板１１の下方に配置される。
【００２５】
前述のように１階の床に敷設された床板１１の目地部１２に起立された控接続具５には、特に図４に示す如く、連結治具１３を介して複数の足場用パイプ１４を連結固定することによって、建築現場に足場を簡単に構築することが出来る。
【００２６】
前記コ字形ベースプレート２の側板２ｂ、２ｃの内側に配置された２枚の挟持板３の相互の間隔は、両者間に挿入される建物基礎９の左右幅よりも少し大きければ良い。また、両側の挟持板３と側板２ｂ、２ｃとの間隔は約２〜６ｍｍあれば良い。
【００２７】
前記実施例に於ては、コ字形ベースプレート２の両内側に夫々挟持板３を設けて構成したが、その内の片方は省略することも可能である。また、前記実施例に於ては、側板２ｂ、２ｃに夫々ナット７を溶着したが、これ等のナット７の代りに側板２ｂ、２ｃにボルト８が螺合し得るネジ孔を直接穿設して構成することも可能である。
【００２８】
次に、図５（ａ）、（ｂ）及び図６（ａ）、（ｂ）、（ｃ）に於て、本発明の第２実施例を説明する。この第２実施例に示す足場用控え受け治具１５は、前記第１実施例の足場用控え受け治具１を改良し、その構造をより簡略化したものである。
【００２９】
即ち、第２実施例の足場用控え受け治具１５は、基本的には前記足場用控え受け治具１と同一構造により構成されている。従って、足場用控え受け治具１５は、背板２ａ、側板２ｂ、２ｃよりなるコ字形ベースプレート２と、このコ字形ベースプレート２の背板２ａに起立突設された控接続具５とより構成されている。
【００３０】
そして、前記足場用控え受け治具１に於ては、コ字形ベースプレート２内に配置した挟持板３を連結片４を介してコ字形ベースプレート２の側板２ｂ、２ｃに一体的に連結したのに対し、第２実施例の足場用控え受け治具１５に於ては、特に図６（ｂ）に示す如く、比較的面積の小さい挟持板１６をボルト８の先端に固定して構成し、ボルト８の回動によって該挟持板１６を建物基礎９の側面に当接し得るように構成している。
【００３１】
また、足場用控え受け治具１５に於ては、コ字形ベースプレート２内に複数の補強リブ１７ａ、１７ｂが設けられており、これ等の補強リブ１７ａ、１７ｂによってコ字形ベースプレート２を補強している。
【００３２】
【発明の効果】
本発明に於ては、コ字形ベースプレートを用いたので、このプレートを建物基礎に跨がせることによって安定せしめることが出来る。また、建物基礎の一部を挟持し得るコ字形ベースプレートの内側に挟持板を配置し、かつこの挟持板を移動し得る手段を該コ字形ベースプレートの外側に設けたので、この手段を用いて挟持板を移動させることによって建物基礎の一部を挟持し、コ字形ベースプレートを建物基礎に簡単かつ確実に固定することが出来る効果を有している。さらに、建物基礎の開口部にコ字形ベースプレートを跨がせることによって、足場用控え受け治具の高さを低くして、その後の床板の敷設を容易にすることが出来る。
【００３３】
かつ、コ字形ベースプレートを建物基礎に固定するに当っては、前述のような挟持板を建物基礎の側面に幅広く面接触させるので、建物基礎の外側面を損傷することがなく、しかもコ字形ベースプレートを建物基礎に安定した状態で強固に固定することが出来る。また、前記コ字形ベースプレートの背面には控接続具が一体的に起立突設されているので、前述のようにコ字形ベースプレートを建物基礎に取付固定することによって、該控接続具を建設現場の床面より自動的に起立突設せしめることが出来る効果も有している。従って、従来の如く、打込み杭を地盤に打込む必要もなく、そのために地盤面に敷設されている防湿シートを破損させて防水性を阻害させることがない。
【００３４】
前述の本発明の控え受け治具に於て、コ字形ベースプレートの側壁にネジ孔を穿設するか或はナットを溶着し、これ等のネジ孔或はナットにボルトを挿通して構成した場合には、該ボルトを回動することによって、その先端部でコ字形ベースプレートの内側に配置された挟持板を移動せしめ、挟持板で建物基礎を挟持してコ字形ベースプレートを簡単かつ確実に建物基礎に取付固定することが出来る。
【００３５】
さらに、本発明の控え受け治具に於て、コ字形ベースプレートの背面に起立突設した控接続具の下部を扁平板によって構成した場合には、この控接続具の下部の周りにはそのままの状態で床板を敷設することが出来る。また、この控接続具の下部の扁平板は、床面に敷設された床板間の目地部に位置せしめることが出来る効果がある。従って、本発明の足場用控え受け治具を利用した場合には、建て方作業中にも控接続具が配置された場所の床を開口部として放置する必要がなく、そのためにこの場所で転落災害が発生することを防止出来る等の多大な効果を有している。
【００３６】
本発明に係る足場用控え受け治具は、前述の構造と作用とを有するので、建物基礎さえ出来ていれば、この足場用控え受け治具を利用して建物本体の建て方より先に足場を建てることが可能であり、これによって建築現場の安全性をより確実にすることが出来る効果を有している。
【図面の簡単な説明】
【図１】  図１は本発明に係る第１実施例の足場用控え受け治具の使用状態を示す斜視説明図である。
【図２】  図２（ａ）、（ｂ）は夫々図１の足場用控え受け治具の構成を示す縦断面図である。
【図３】  図３は図１の足場用控え受け治具の要部の構成を示す斜視説明図である。
【図４】  図４は図１の足場用控え受け治具を使用して足場を構築する状態の要部の斜視説明図である。
【図５】  図５（ａ）、（ｂ）は夫々本発明に係る第２実施例の足場用控え受け治具の要部を示す説明図である。
【図６】  図６（ａ）、（ｂ）、（ｃ）は夫々図５の足場用控え受け治具の側面図、底面図及び正面図である。
【図７】  図７（ａ）、（ｂ）は建築現場に構築される足場の従来例を示す斜視説明図である。
【符号の説明】
１ …足場用控え受け治具
２ …コ字形ベースプレート
２ａ …背板
２ｂ …側板
２ｃ …側板
３ …挟持板
４ …連結片
５ …控接続具
５ａ …扁平板
６ …補強ブラケット
７ …ナット
８ …ボルト
９ …建物基礎
１０ …開口部
１１ …床板
１２ …目地部
１３ …連結治具
１４ …足場用パイプ
１５ …足場用控え受け治具
１６ …挟持板
１７ａ…補強リブ
１７ｂ…補強リブ
５１ …足場
５２ …控
５３ …地盤
５４ …打込み杭
【図１】
0004412826.tif 000002
【図２】
0004412826.tif 000003
【図３】
0004412826.tif 000004
【図４】
0004412826.tif 000005
【図５】
0004412826.tif 000006
【図６】
0004412826.tif 000007
【図７】
0004412826.tif 000008